(57)【要約】【課題】ケーブル自体の外径を大きくすることなく多条に布設することができる光ファイバケーブル及び光ファイバケーブル布設方法を提供する。【解決手段】光ファイバケーブル１０は、光ファイバ１２およびテンションメンバ１３，１４を熱可塑性樹脂材料により被覆した本体部１１と、ロッド１６を熱可塑性樹脂材料により被覆した押し込み体１５とを備えている。そして、少なくとも押し込み時の先端部に、本体部１１と押し込み体１５とを連結する先端部の連結部１７を備えている。また、軸方向に５０ｃｍ以上の等間隔でその他の連結部２１を複数個配置して、本体部１１と押し込み体１５とを間欠的に連結している。連結部１７，２１は、容易に引きちぎることができ、本体部１１と押し込み体１５とを分離することができる。【選択図】図１
2011043755.tif 000002
【特許請求の範囲】
【請求項１】
光ファイバおよびテンションメンバを熱可塑性樹脂材料により被覆した本体部と、
ロッドを熱可塑性樹脂材料により被覆した押し込み体と、
を備え、
少なくとも押し込み時の先端部に、前記本体部と前記押し込み体とを連結する連結部を設けたことを特徴とする光ファイバケーブル。
【請求項２】
前記連結部は、前記本体部および前記押し込み体の軸方向に５０ｃｍ以上の等間隔で複数個配置され、前記本体部と前記押し込み体とを間欠的に連結することを特徴とする請求項１記載の光ファイバケーブル。
【請求項３】
請求項１または２記載の光ファイバケーブルを配管内に通線する際に、先端部に前記連結部を１個残して、先端部以外の連結部を押し込む直前に順次切断しながら前記本体部および前記押し込み体を前記配管内に押し込んで行き、通線完了後に先端部の前記連結部を切断して、前記押し込み体を前記配管から引き出すことを特徴とする光ファイバケーブル布設方法。
【請求項４】
請求項１または２記載の光ファイバケーブルを配管内に通線する際に、先端部に前記連結部を１個残して、先端部以外の連結部を予め切断しておき、該先端部から前記本体部および前記押し込み体を前記配管内に押し込んで行き、通線完了後に先端部の前記連結部を切断して、前記押し込み体を前記配管から引き出すことを特徴とする光ファイバケーブル布設方法。
【発明の詳細な説明】
【技術分野】
【０００１】
本発明は、配管に光ファイバを通線するのに用いられる光ファイバケーブル及び光ファイバケーブル布設方法に関する。
【背景技術】
【０００２】
昨今、光ファイバを伝送路として一般個人宅へ直接引き込むアクセス系光通信の網構成方式であるＦＴＴＨ（Ｆｉｂｅｒ  Ｔｏ  Ｔｈｅ  Ｈｏｍｅ）の普及により、各住宅への光ファイバ引き込みが頻繁に行われるようになった。このようなＦＴＴＨにおいて使用される光ケーブルとしては、ドロップケーブルやインドアケーブルが一般的である。
【０００３】
集合住宅への引き込み作業では、スペースの制約から既設の電話配管等を活用した多条布設工法等が一般的であり、これにより各戸まで配線が可能になる。配管への通線は、通線ロッドを通線し、その後通線ロッドと光ケーブルを結合させて、通線ロッドを牽引することにより配管内にケーブルを布設する方法が一般的である。
【０００４】
しかし、牽引ロッド自体が太くて通せなかったり、あるいは通線作業回数が２倍になったりするために、作業時間を多く必要とする欠点がある。こうした背景に鑑み、配管に光ケーブルを直接押し込む工法が検討されている。
このような押し込み工法においては、光ケーブルに通線ロッド同様の高い剛性が求められ、太い鋼線やＦＲＰ等の押し込み体をケーブル内に埋め込む必要がある。
【０００５】
図７に示すように、従来の光ファイバケーブル布設方法の一例として、通線ロッドやケーブル１０１の先端部に駆動部１０２を取り付け、駆動部１０２に突出部１０３を有する先端部１０４を回転可能に取り付けた光ファイバケーブル１００がある（例えば、特許文献１参照）。このような光ファイバケーブル１００では、押し込みに際して、先端部１０４の突出部１０３を回転させながら進行させるようにしている。
【先行技術文献】
【特許文献】
【０００６】
【特許文献１】特開平７−１４３６３４号公報
【発明の概要】
【発明が解決しようとする課題】
【０００７】
しかしながら、上記従来の光ファイバケーブルでは、通線ロッドを含むため、ケーブル自体の外径が大きくなり、多条に布設する際にスペースが無くなって布設できる条数が少なくなる虞があった。
【０００８】
本発明の目的は、上述した事情に鑑みてなされたものであり、ケーブル自体の外径を大きくすることなく多条に布設することができる光ファイバケーブル及び光ファイバケーブル布設方法を提供することにある。
【課題を解決するための手段】
【０００９】
上記課題を解決することができる本発明に係る光ファイバケーブルは、光ファイバおよびテンションメンバを熱可塑性樹脂材料により被覆した本体部と、ロッドを熱可塑性樹脂材料により被覆した押し込み体と、を備え、少なくとも押し込み時の先端部に、前記本体部と前記押し込み体とを連結する連結部を設けたことを特徴としている。
【００１０】
上記構成の光ファイバケーブルによれば、連結部を設けた先端部から本体部と押し込み体とを配管内に押し込んで行くことができ、通線完了後に先端部の連結部を切断して本体部から押し込み体を分離して引き出すことができる。これにより、配管内のスペースを本体部のみで使用することができ、ケーブル自体の外径を大きくすることなく多条に布設することができる。
【００１１】
本発明に係る光ファイバケーブルは、前記連結部が、前記本体部および前記押し込み体の軸方向に５０ｃｍ以上の等間隔で複数個配置され、前記本体部と前記押し込み体とを間欠的に連結することが好ましい。
【００１２】
上記構成の光ファイバケーブルによれば、本体部と押し込み体とを配管内に通線して行く際の押し込みの１ストローク毎に１回、或いは複数ストローク毎に１回、軸方向に５０ｃｍ以上の間隔で配置された配管近傍の連結部を切断して、本体部から押し込み体を分離しながら押し込んで行くことができる。これにより、作業性を良好にすることができる。
【００１３】
本発明に係る光ファイバケーブル布設方法は、上記構成の光ファイバケーブルを配管内に通線する際に、先端部に前記連結部を１個残して、先端部以外の連結部を押し込む直前に順次切断しながら前記本体部および前記押し込み体を前記配管内に押し込んで行き、通線完了後に先端部の前記連結部を切断して、前記押し込み体を前記配管から引き出すことを特徴としている。
【００１４】
上記構成の光ファイバケーブル布設方法によれば、先端部の連結部を１個残して、その他の連結部は押し込む直前に順次切断しながら、本体部と押し込み体とを配管内に押し込んで行く。そして、通線完了後に先端部の連結部を切断して、押し込み体を配管から引き出す。これにより、配管内のスペースを本体部のみで使用してケーブル自体の外径を大きくすることなく多条に布設することができる。
【００１５】
本発明に係る光ファイバケーブル布設方法は、上記構成の光ファイバケーブルを配管内に通線する際に、先端部に前記連結部を１個残して、先端部以外の連結部を予め切断しておき、該先端部から前記本体部および前記押し込み体を前記配管内に押し込んで行き、通線完了後に先端部の前記連結部を切断して、前記押し込み体を前記配管から引き出すことを特徴としている。
【００１６】
上記構成の光ファイバケーブル布設方法によれば、先端部の連結部を１個残して、その他の連結部を予め切断しておき、先端部から本体部および押し込み体を配管内に押し込んで行く。そして、通線完了後に先端部の連結部を切断して、押し込み体を配管から引き出す。これにより、配管内のスペースを本体部のみで使用してケーブル自体の外径を大きくすることなく多条に布設することができる。
【発明の効果】
【００１７】
本発明に係る光ファイバケーブル及び光ファイバケーブル布設方法によれば、ケーブル自体の外径を大きくすることなく多条に布設することができる。
【図面の簡単な説明】
【００１８】
【図１】本発明に係る光ファイバケーブルの一実施形態を示す外観斜視図である。
【図２】図１の光ファイバケーブルの連結部の縦断面図である。
【図３】図１の光ファイバケーブルの連結部を含まない位置の縦断面図である。
【図４】本発明に係る光ファイバケーブル布設方法の第１実施形態の第１工程を示す外観斜視図である。
【図５】図４の光ファイバケーブル布設方法の第２工程を示す外観斜視図である。
【図６】本発明に係る光ファイバケーブル布設方法の第２実施形態を示す外観斜視図である。
【図７】従来の光ファイバケーブルの先端部を示す正面図である。
【発明を実施するための形態】
【００１９】
以下、本発明の複数の実施形態に係る光ファイバケーブル及び光ファイバケーブル布設方法について図１〜図６に基づいて説明する。
【００２０】
（第１実施形態）
図１に示すように、本発明の第１実施形態である光ファイバケーブル１０は、光ファイバ１２および１対のテンションメンバ１３，１４を熱可塑性樹脂材料により被覆した本体部１１と、ロッド１６を熱可塑性樹脂材料により被覆した押し込み体１５と、本体部１１と押し込み体１５と間に設けられた連結部１７とを備えている。
【００２１】
本体部１１は、長尺であって略四角形の断面形状を有しており、中央部に光ファイバ１２を収容し、光ファイバ１２の上下にテンションメンバ１３，１４を収容している。本体部１１は、熱可塑性樹脂材料として、ポリウレタンやポリプロピレンを選んだ本体被覆部１８を有している。
【００２２】
本体部１１は、光ファイバ１２の両側部に折り曲げ促進用の１対の切欠部１９を形成している。また、テンションメンバ１３，１４は、鋼材やアラミド繊維やガラス繊維を用いて軸形状に形成されている。
【００２３】
押し込み体１５は、長尺であって円形の断面形状を有している。また、押し込み体１５は、円形の断面形状をなすロッド１６を熱可塑性樹脂材料として選ばれたポリウレタンやポリプロピレンの押し込み体被覆部２０により被覆している。また、ロッド１６は、可撓性を有するＦＲＰや金属材料が選ばれる。
【００２４】
連結部１７は、本体部１１および押し込み体１５の軸方向に、例えば、５０ｃｍの距離Ｌ１毎離れた位置に本体部１１と押し込み体１５とを間欠的に連結している。
連結部１７は、本体部１１および押し込み体１５と同様の熱可塑性樹脂材料を用いて四角形の軸形状に形成されている。連結部１７は、押し込む時に引きちぎることで、本体部１１を配管（図４参照）１内に残して押し込み体１５を分離できる。
【００２５】
図２及び図３に示すように、本体部１１は、例えば、３ｍｍの高さ寸法Ｌ２と、２ｍｍの幅寸法Ｌ３を有している。また、光ファイバ１２およびテンションメンバ１３，１４は、ほぼ同一の外径寸法を有している。また、押し込み体１５は、例えば、２ｍｍ〜３ｍｍの外径寸法Ｄ１を有している。
【００２６】
このような光ファイバケーブル１０は、光ファイバ１２と１対のテンションメンバ１３，１４とロッド１６とを収容して、本体被覆部１８、押し込み体被覆部２０および連結部１７を樹脂成形することで、本体部１１、押し込み体１５および連結部１７が一体成形される。
【００２７】
次に、本発明に係る光ファイバケーブル布設方法の第１実施形態について説明する。
【００２８】
図４に示すように、光ファイバケーブル布設方法の第１工程では、既設電話ケーブルが既に通線されている配管１に対し、光ファイバケーブル１０を押し込んで行く。このとき、光ファイバケーブル１０は、連結部１７により押し込み体１５と一体構造になっているため、高い剛性を有しており、既設電話ケーブルに干渉することなく配管１内に押し込まれて行く。
【００２９】
光ファイバケーブル１０は、押し込み時の先端部が配管１内に押し込まれて行く際に、先端部の連結部１７を１個残して、それ以降の連結部２１を、押し込み作業の１ストローク毎に１回、押し込む直前に引きちぎるか又はカッター等で順次切断して行く。切断後、本体部１１と押し込み体１５は、分離された状態で配管１内に押し込まれて行く。
【００３０】
図５に示すように、光ファイバケーブル布設方法の第２工程では、光ファイバケーブル１０の押し込み作業が完了したところで、先端部の連結部１７を切断して、押し込み体１５のみを配管１から引き出す。これにより、配管１内に本体部１１のみが残されることになる。
【００３１】
上述したように、本実施形態の光ファイバケーブル１０は、押し込み時の先端部に、本体部１１と押し込み体１５とを連結する連結部１７が設けられているので、連結部１７を設けた先端部から本体部１１と押し込み体１５とを配管１内に押し込んで行くことができる。そして、通線完了後に、先端部の連結部１７を切断して、本体部１１から押し込み体１５を分離して引き出すことができる。これにより、配管１内のスペースを本体部１１のみで使用することができ、ケーブル自体の外径を大きくすることなく多条に布設することができる。
【００３２】
本実施形態の光ファイバケーブル１０は、複数個の連結部１７，２１が、本体部１１および押し込み体１５の軸方向に５０ｃｍ以上の等間隔で配置され、本体部１１と押し込み体１５とを間欠的に連結している。これにより、本体部１１と押し込み体１５とを配管１内に押し込んで行く際の押し込みの１ストローク毎に１回、或いは複数ストローク毎に１回、配管１の開口端近傍の連結部２１を切断して、本体部１１から押し込み体１５を分離しながら押し込んで行くことができ、作業性を良好にすることができる。
【００３３】
本実施形態の光ファイバケーブル布設方法は、光ファイバケーブル１０を配管１内に通線する際に、先端部の連結部１７を１個残して、先端部以外の連結部２１を押し込む直前に順次切断しながら本体部１１および押し込み体１５を配管内に押し込んで行き、通線完了後に先端部の連結部１７を切断して、押し込み体１５を配管１から引き出す。これにより、配管１内のスペースを本体部１１のみで使用してケーブル自体の外径を大きくすることなく多条に布設することができる。
【００３４】
（第２実施形態）
次に、本発明の第２実施形態である光ファイバケーブル布設方法について説明する。なお、上述した第１実施形態と同一構成や同様な作用については、同一符号を付することによって説明を簡略化あるいは省略する。
【００３５】
図６に示すように、本実施形態の光ファイバケーブル布設方法では、光ファイバケーブル１０を配管１内に通線する際に、先端部に連結部１７を１個残して、その他の連結部を予め切断しておく。次に、先端部から本体部１１および押し込み体１５を配管１内に押し込んで行く。そして、通線完了後に先端部の連結部１７を切断して、押し込み体１５を配管１から引き出す。
【００３６】
上述したように、本実施形態の光ファイバケーブル布設方法は、先端部の連結部１７を１個残して、その他の連結部を予め切断しておき、先端部から本体部１１および押し込み体１５を配管１内に押し込んで行く。そして、通線完了後に先端部の連結部１７を切断して、押し込み体１５を配管から引き出す。これにより、配管１内のスペースを本体部１１のみで使用してケーブル自体の外径を大きくすることなく多条に布設することができる。
【００３７】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００３８】
１  配管
１０  光ファイバケーブル
１１  本体部
１２  光ファイバ
１３、１４  テンションメンバ
１５  押し込み体
１６  ロッド
１７  先端部の連結部
２１  その他の連結部
【図１】
2011043755.tif 000003
【図２】
2011043755.tif 000004
【図３】
2011043755.tif 000005
【図４】
2011043755.tif 000006
【図５】
2011043755.tif 000007
【図６】
2011043755.tif 000008
【図７】
2011043755.tif 000009